(57)【特許請求の範囲】
【請求項１】
互いに交差するように配置される複数のゲートライン及び複数のデータラインと、
前記複数のデータライン及び前記複数のゲートラインの交差により定義される領域に各々配置され、データ電圧が供給される複数の画素電極と、
前記複数の画素電極と電界を形成するように配置され、各々が前記複数の画素電極の一部と対応するように配置される複数のタッチ／共通電極と、
前記複数のタッチ／共通電極に各々連結された複数のタッチ／共通ラインと、を含み、
前記複数のタッチ／共通電極の各々は前記データラインの配列方向に沿って互いに隣り合うタッチ／共通電極に共有される少なくとも１つのゲートラインと重畳し、
前記複数のゲートラインにはゲートパルスが順次供給され、前記データラインの配列方向に沿って互いに隣り合うタッチ／共通電極に共有されるゲートラインの数は、前記ゲートパルスのうち、いずれか１つのゲートパルスと一部分が重畳するゲートパルスの数の２倍である、タッチセンサー内蔵型表示装置。
【請求項２】
前記複数のタッチ／共通電極の各々は、前記データラインの配列方向に沿って少なくとも１つの突出部を備え、前記データラインの配列方向に沿って互いに隣り合うタッチ／共通電極の突出部は、前記ゲートラインの方向に沿って交互に配置される、請求項１に記載のタッチセンサー内蔵型表示装置。
【請求項３】
互いに交差するように配置される複数のゲートライン及び複数のデータラインと、
前記複数のデータライン及び前記複数のゲートラインの交差により定義される領域に各々配置され、データ電圧が供給される複数の画素電極と、
前記複数の画素電極と電界を形成するように配置され、各々が前記複数の画素電極の一部と対応するように配置される複数のタッチ／共通電極と、
前記複数のタッチ／共通電極に各々連結された複数のタッチ／共通ラインと、を含み、
前記複数のタッチ／共通電極の各々は前記データラインの配列方向に沿って互いに隣り合うタッチ／共通電極に共有される少なくとも１つのゲートラインと重畳し、
前記複数のタッチ／共通電極の各々は、前記データラインの配列方向に沿って隣接したタッチ／共通電極に向いた辺に各々交互に配置される少なくとも１つの突出部及び少なくとも１つの凹部を備え、
前記タッチ／共通電極の突出部は、前記データラインの配列方向に沿って隣接した凹部内に各々配置される、タッチセンサー内蔵型表示装置。
【請求項４】
第１行及び最後の行に配置されたタッチ／共通電極の突出部及び凹部は、前記データラインの配列方向に沿って隣接したタッチ／共通電極に向いた１辺のみに配置され、
前記第１行と最後の行との間に配置されるタッチ／共通電極の突出部と凹部は、前記データラインの配列方向に沿って隣接したタッチ／共通電極に向いた両辺に配置される、請求項３に記載のタッチセンサー内蔵型表示装置。
【請求項５】
前記両辺に配置されるタッチ／共通電極の突出部及び凹部は、第１辺に交互に配置される第１突出部及び第１凹部と、第２辺に交互に配置される第２突出部及び第２凹部を各々含み、
前記第１突出部は、前記第２突出部と行き違うように配置され、前記第１凹部は、前記第２凹部と行き違うように配置される、請求項４に記載のタッチセンサー内蔵型表示装置。
【請求項６】
前記第１行に配置されるタッチ／共通電極と前記最後の行に配置されるタッチ／共通電極のサイズは同一であり、
前記第１行と前記最後の行との間に配置されるタッチ／共通電極のサイズは、前記第１行及び前記最後の行に配置されるタッチ／共通電極のサイズより前記第２辺に形成される突出部のサイズだけより大きい、請求項５に記載のタッチセンサー内蔵型表示装置。
【請求項７】
前記第１行に配置されたタッチ／共通電極に共有されるゲートラインの数は、前記最後の行に配置されたタッチ／共通電極に共有されるゲートラインの数と同一であり、
前記第１行と前記最後の行との間に配置されるタッチ／共通電極に共有されるゲートラインの数は、前記第１行に配置されたタッチ／共通電極に共有されるゲートラインの数、または前記最後の行に配置されたタッチ／共通電極に共有されるゲートラインの数より多い、請求項５に記載のタッチセンサー内蔵型表示装置。
【請求項８】
前記複数のゲートラインにはゲートパルスが順次供給され、前記データラインの配列方向に沿って互いに隣り合うタッチ／共通電極に共有されるゲートラインの数は、前記ゲートパルスのうち、いずれか１つのゲートパルスと一部分が重畳するゲートパルスの数の２倍である、請求項３から７のうち、いずれか１項に記載のタッチセンサー内蔵型表示装置。
【請求項９】
前記ゲートパルスの重畳は、各ゲートパルスのライジングエッジ（rising edge）とフォーリングエッジ（falling edge）の重畳を含む、請求項１、２、８のうち、いずれか１項に記載のタッチセンサー内蔵型表示装置。
【発明の詳細な説明】
【技術分野】
【０００１】
本発明は、タッチセンサー内蔵型表示装置に関し、より詳しくは、タッチ／共通電極の間に発生する横線画像不良が防止できるタッチセンサー内蔵型表示装置に関する。
【背景技術】
【０００２】
最近、マルチメディアが発達するにつれて、これを適切に表示することができる表示装置の必要性に符合して、大型化が可能で、価格が低廉で、かつ高い表示品質（動映像表現力、解像度、明るさ、明暗比、及び色再現力など）を有する平面型表示装置（以下、単に“表示装置”という）の開発が進められている。これら平面型表示装置には、キーボード、マウス、トラックボール、ジョイスチック、デジタイザー（digitizer）などの多様な入力装置（Input Device）がユーザと表示装置との間のインターフェースを構成するために使われている。
【０００３】
しかしながら、前述したような入力装置を使用することは、使用法を習わなければならず、空間を占めるなどの不便を引き起こして、製品の完成度を高め難いという面があった。したがって、便利で、簡単で、かつ誤作動を減少させることができる表示装置用入力装置に対する要求が日増しに増加している。このような要求によって、ユーザが表示装置を見ながら手やペンなどで画面を直接タッチまたは近接させて情報を入力すれば、これを認識することができるタッチセンサー（touch sensor）が提案された。
【０００４】
タッチセンサーは簡単で、誤作動が少なく、別途の入力機器を使用しなくても入力可能であるだけでなく、ユーザが画面に表示される内容を通じて迅速で、かつ容易に操作することができるという便利性のため、多様な表示装置に適用されている。
【０００５】
前述した表示装置に使われるタッチセンサーは、その構造によって上板付着型（add-on type）、上板一体型（on-cell type）、及び内蔵型（integrated typeまたはin-cell type）に分けることができる。上板付着型は、表示装置とタッチセンサーモジュールを個別的に製造した後、表示装置の上板にタッチセンサーモジュールを付着する方式である。上板一体型は、表示装置の上部ガラス基板の表面にタッチセンサー素子を直接形成する方式である。内蔵型は、表示装置の内部にタッチセンサー素子を内蔵して表示装置の薄型化を達成し、耐久性を高めることができる方式である。
【０００６】
これらのうち、内蔵型タッチセンサーは、表示装置の共通電極をタッチ／共通電極に共用できるので、厚さを薄くすることができ、表示装置の内部にタッチ素子が形成されて耐久性を高めることができるため、比較的広く用いられている。
【０００７】
内蔵型タッチセンサーは、耐久性と薄型化が可能であるという点で上板付着型タッチセンサーと上板一体型タッチセンサーの短所を解決することができるので、関心が集中している。このような内蔵型タッチセンサーは、タッチされた部分を感知する方式によって光方式と静電容量方式とに区分され、静電容量方式はまた自己静電容量方式（self capacitive type）と相互静電容量方式（mutual capacitive type）とに細分化される。
【０００８】
自己静電容量方式タッチセンサーは、タッチ感知パネルのタッチ領域に複数の独立パターンを形成し、各々の独立パターンの静電容量の変化を測定してタッチ有無を判断する方式である。相互静電容量方式タッチセンサーは、タッチ感知パネルのタッチ／共通電極形成領域にＸ軸電極ライン（例えば、駆動電極ライン）とＹ軸電極ライン（例えば、センシング電極ライン）とを互いに交差させてマトリックスを形成し、Ｘ軸電極ラインに駆動パルスを印加した後、Ｙ軸電極ラインを通じてＸ軸電極ラインとＹ軸電極ラインとの交差点として定義されるセンシングノードに表れる電圧の変化を感知してタッチ有無を判断する方式である。
【０００９】
しかしながら、相互静電容量方式タッチセンサーは、タッチ認識時に発生する相互静電容量の大きさは非常に小さな反面、表示装置を構成するゲートラインとデータラインとの間の寄生容量（parasitic capacitance）は非常に大きいため、寄生容量によりタッチ位置を正確に認識し難いという問題点がある。
【００１０】
また、相互静電容量方式タッチセンサーは、マルチタッチ認識のために共通電極上にタッチ駆動のための多数のタッチ駆動ラインとタッチセンシングのための多数のタッチセンシングラインを形成させなければならないので、非常に複雑な配線構造を必要とするようになる問題点がある。
【００１１】
自己静電容量方式タッチセンサーは、相互静電容量方式タッチセンサーに比べて簡単な配線構造でタッチ精密度を高めることができるので、必要によって広く使われている。
【００１２】
以下、図１から図３を参照して従来の自己静電容量方式タッチセンサー内蔵型液晶表示装置（以下、“タッチセンサー内蔵型表示装置”という）について説明する。
【００１３】
図１は、従来のタッチセンサー内蔵型表示装置を概略的に示す平面図である。図２は、図１に図示された一部領域Ｒ１を示す平面図である。図３は、図２に図示された先端のタッチ／共通電極と後端のタッチ／共通電極と重畳するゲートラインに供給されるゲート信号によるタッチ／共通電極の共通電圧カップリング効果を示す波形図である。
【００１４】
タッチセンサー内蔵型表示装置は、タッチ／共通電極及び画素電極が配置され、データが表示されるアクティブ領域ＡＡ、アクティブ領域ＡＡの外側に配置され、各種の配線及びタッチコントローラＩＣが配置されるベッセル領域ＢＡを含む。
【００１５】
アクティブ領域ＡＡは互いに交差する第１方向（例えば、ｘ軸方向）及び第２方向（例えば、ｙ軸方向）に沿って配列された複数のタッチ／共通電極Ｔ１１〜Ｔ８ａと、複数のタッチ／共通電極Ｔ１１〜Ｔ８ａの各々をタッチコントローラ１０に連結させるように第２方向に互いに並んで配列される複数のタッチ／共通ラインＷ１１〜Ｗ８ａを含む。
【００１６】
アクティブ領域ＡＡ内に配置された複数のタッチ／共通電極Ｔ１１〜Ｔ８ａは、従来の表示装置の共通電極を分割して形成されたものであって、データを表示するディスプレイモードの駆動時には共通電極として動作し、タッチ位置を検出するタッチモードの駆動時にはタッチ電極として動作する。
【００１７】
図２を参照すると、従来のタッチセンサー内蔵型表示装置では、例えば、１つのタッチ／共通電極Ｔ１１に対応して複数の画素電極（図示せず）が配置される。複数の画素電極は、ゲートラインＧ１１〜Ｇ１ｃとデータライン Ｄ１〜Ｄ９との交差により定義される領域に配置される。図２の例では、１２行のゲートラインＧ１１〜Ｇ１ｃと９列のデータラインＤ１〜Ｄ９との交差により定義される領域に配置される１０８個の画素電極が１つのタッチ／共通電極Ｔ１１に対応して配置されている。
【００１８】
タッチ／共通電極Ｔ１１、Ｔ１２、Ｔ２１、Ｔ２３は、ディスプレイ駆動期間にはタッチ／共通ラインＷ１１、Ｗ１２、Ｗ２１、Ｗ２２を通じて共通電圧の供給を受けて、タッチ駆動期間にはタッチ駆動電圧の供給を受ける。タッチ／共通ラインＷ１１、Ｗ１２、Ｗ２１、Ｗ２２は、タッチ駆動期間の間、タッチ／共通電極Ｔ１１、Ｔ１２、Ｔ２１、Ｔ２３でセンシングされたタッチセンシング電圧をタッチコントローラ１０に供給する。タッチコントローラ１０は、公知のタッチアルゴリズムを用いてタッチ有無及びタッチ位置を判断する。
【００１９】
図３を参照すると、最初の行に配置されるタッチ／共通電極Ｔ１１〜Ｔ１ａに対応する第１−１から第１−ｃゲートラインＧ１１〜Ｇ１ｃと、２番目の行に配置されるタッチ／共通電極Ｔ２１〜Ｔ２ａにゲート信号が順次供給されれば、各ゲートラインに供給されるゲート信号のオン／オフによりタッチ／共通電極Ｔ１１〜Ｔ１ａ、Ｔ２１〜Ｔ２ａにカップリングが発生して、各ゲート信号の開始部（rising edge）と終了部（falling edge）でリップル電圧（ripple voltage）が発生する。
【００２０】
これらリップル電圧は各ゲートラインにゲート信号が供給される時に発生するが、次回のゲート信号により相殺される特徴を有する。例えば、第１−６ゲートラインＧ１６に供給されるゲート信号のフォーリングエッジ（falling edge）によるタッチ／共通電極Ｔ１１〜Ｔ１ａのリップル電圧は第１−９ゲートラインＧ１９に供給されるゲート信号のライジングエッジ（rising edge）によるタッチ／共通電極Ｔ１１〜Ｔ１ａのリップル電圧により相殺され、第１−７ゲートラインＧ１７によるタッチ／共通電極Ｔ１１〜Ｔ１ａのリップル電圧は第１−１０ゲートラインＧ１ａによるタッチ／共通電極Ｔ１１〜Ｔ１ａのリップル電圧により相殺され、第１−８ゲートラインＧ１８によるタッチ／共通電極Ｔ１１〜Ｔ１ａのリップル電圧は第１−１１ゲートラインＧ１ｂによるタッチ／共通電極Ｔ１１〜Ｔ１ａのリップル電圧により相殺され、第１−９ゲートラインＧ１９によるタッチ／共通電極Ｔ１１〜Ｔ１ａのリップル電圧は第１−１２ゲートラインＧ１ｃによるタッチ／共通電極Ｔ１１〜Ｔ１ａのリップル電圧により相殺される。
【００２１】
しかしながら、第１−１０から第１−１２ゲートラインＧ１ａ〜Ｇ１ｃに供給されるゲート信号のフォーリングエッジによるタッチ／共通電極Ｔ１1〜Ｔ１ａのリップル電圧は、第２−１ゲートラインＧ２１から第２−２ゲートラインＧ２２が２番目の行に配置されたタッチ／共通電極Ｔ２１〜Ｔ２ａに対応するように配置されるので相殺されない。
【００２２】
したがって、従来のタッチセンサー内蔵型表示装置では、同一行に配置されたタッチ／共通電極の内部と境界部のリップル電圧のレベル差によって共通電圧のレベルが不安定になるにつれて、画素充電時、共通電圧値の変化に従う明るい横線形態の画像不良が発生する問題点があった。
【発明の概要】
【発明が解決しようとする課題】
【００２３】
本発明はタッチ／共通電極の間に発生する横線画像不良を除去することができるタッチセンサー内蔵型表示装置を提供することをその目的とする。
【課題を解決するための手段】
【００２４】
前記の目的達成のための本発明に従うタッチセンサー内蔵型表示装置は、互いに交差するように配置される複数のゲートライン及び複数のデータライン、複数の画素電極、複数のタッチ／共通電極、及び複数のタッチ／共通ラインを含む。複数の画素電極は、前記複数のデータライン及び前記複数のゲートラインの交差により定義される領域に各々配置され、データ電圧の供給を受ける。複数のタッチ／共通電極は、前記複数の画素電極と電界を形成するように配置され、各々が前記複数の画素電極の一部と対応するように配置される。複数のタッチ／共通ラインは、複数のタッチ／共通電極に各々連結される。前記複数のタッチ／共通電極の各々は、前記データラインの配列方向に沿って互いに隣り合うタッチ／共通電極に共有される少なくとも１つのゲートラインと重畳する。
【００２５】
前記の構成において、複数のタッチ／共通電極の各々は前記データラインの配列方向に沿って少なくとも１つの突出部を備え、前記データラインの配列方向に沿って互いに隣り合うタッチ／共通電極等の突出部は前記ゲートラインの方向に沿って交互に配置される。
【００２６】
また、前記複数のタッチ／共通電極の各々は前記データラインの配列方向に沿って隣接したタッチ／共通電極に向いた辺に各々交互に配置される少なくとも１つの突出部及び少なくとも１つの凹部を備え、前記タッチ／共通電極の突出部は前記データラインの配列方向に沿って隣接した凹部の内に各々配置される。
【００２７】
また、第１行及び最後の行に配置されたタッチ／共通電極の突出部と凹部は、前記データラインの配列方向に沿って隣接したタッチ／共通電極に向いた１辺のみに配置され、前記１行と最後の行との間に配置されるタッチ／共通電極の突出部と凹部は、前記データラインの配列方向に沿って隣接したタッチ／共通電極に向いた両辺に配置される。
【００２８】
また、前記両辺に配置されるタッチ／共通電極の突出部及び凹部は、第１辺に交互に配置される第１突出部及び第１凹部と、第２辺に交互に配置される第２突出部及び第２凹部を各々含み、前記第１突出部は前記第２突出部と行き違うように配置され、前記第１凹部は前記第２凹部と行き違うように配置される。
【００２９】
また、第１行に配置されるタッチ／共通電極と最後の行に配置されるタッチ／共通電極のサイズは同一であり、前記第１行と前記最後の行との間に配置されるタッチ／共通電極のサイズは、前記第１行及び前記最後の行に配置されるタッチ／共通電極のサイズより前記第１辺に形成される突出部のサイズだけより大きく形成される。
【００３０】
また、前記第１行に配置されたタッチ／共通電極に共有されるゲートラインの数は前記最後の行に配置されたタッチ／共通電極に共有されるゲートラインの数と同一であり、前記第１行と前記最後の行との間に配置されるタッチ／共通電極に共有されるゲートラインの数は、前記第１行に配置されたタッチ／共通電極に共有されるゲートラインの数、または前記最後の行に配置されたタッチ／共通電極に共有されるゲートラインの数より多く設定される。
【００３１】
また、前記複数のゲートラインにはゲートパルスが順次供給され、前記データラインの配列方向に沿って互いに隣り合うタッチ／共通電極に共有されるゲートラインの数は前記ゲートパルスのうち、いずれか１つのゲートパルスと一部分が重畳するゲートパルスの数の２倍に設定される。
【００３２】
また、前記ゲートパルスの重畳は各ゲートパルスのライジングエッジ（rising edge）とフォーリングエッジ（falling edge）の重畳を含むことができる。
【発明の効果】
【００３３】
本発明に係るタッチセンサー内蔵型表示装置によれば、いずれか１行に配置したタッチ／共通電極を横切るゲートラインを次の行のタッチ／共通電極と重畳するように配置することによって、タッチ／共通電極の間の境界部のリップル電圧を消去して、横線画像不良を改善することができる効果が得られる。
【図面の簡単な説明】
【００３４】
【図１】従来のタッチセンサー内蔵型表示装置における共通電極を分割したタッチ／共通電極に連結されるタッチ／共通ラインを示す平面図である。
【図２】図１に図示された一部領域Ｒ１を示す平面図である。
【図３】図２に図示されたゲートラインに供給されるゲート信号を示す波形図である。
【図４】本発明の実施形態に係るタッチセンサー内蔵型表示装置を概略的に示すブロック図である。
【図５】本発明の実施形態に係るタッチセンサー内蔵型表示装置の一部領域を概略的に示す一部分解斜視図である。
【図６】本発明の第１実施形態に係るタッチセンサー内蔵型表示装置のタッチ／共通電極を示す平面図である。
【図７】図６に図示された一部領域Ｒ１を示す平面図である。
【図８ａ】図６に図示されたタッチ／共通電極の構成を示す平面図である。
【図８ｂ】図６に図示されたタッチ／共通電極の構成を示す平面図である。
【図８ｃ】図６に図示されたタッチ／共通電極の構成を示す平面図である。
【図９】図６のゲートラインに供給されるゲート信号を示す波形図である。
【図１０】本発明の第２実施形態に係るタッチセンサー内蔵型表示装置のタッチ／共通電極を示す平面図である。
【図１１】図１０に図示された一部領域Ｒ２を示す平面図である。
【図１２ａ】図１０に図示されたタッチ／共通電極の構成を示す平面図である。
【図１２ｂ】図１０に図示されたタッチ／共通電極の構成を示す平面図である。
【図１２ｃ】図１０に図示されたタッチ／共通電極の構成を示す平面図である。
【図１３】図１１のゲートラインに供給されるゲート信号を示す波形図である。
【図１４ａ】従来のタッチセンサー内蔵型表示装置の共通電圧の出力を示す波形図である。
【図１４ｂ】本発明の実施形態に係るタッチセンサー内蔵型表示装置の共通電圧の出力を示す波形図である。
【発明を実施するための形態】
【００３５】
以下、添付の図面を参照して本発明に係る好ましい実施形態を詳細に説明する。明細書の全体に亘って同一な参照番号は実質的に同一な構成要素を意味する。以下の説明で、本発明と関連した公知機能あるいは構成に対する具体的な説明が本発明の要旨を不必要に曖昧にすることがあると判断される場合、その詳細な説明を省略する。
【００３６】
本発明のタッチセンサー内蔵型表示装置は、液晶表示装置（Liquid Crystal Display：ＬＣＤ）、電界放出表示装置（Field Emission Display：ＦＥＤ）、プラズマディスプレイパネル（Plasma Display Panel：ＰＤＰ）、有機発光ダイオード表示装置（Organic Light Emitting Display：ＯＬＥＤ）、電氣泳動表示装置（Electrophoresis Display：ＥＰＤ）などの平板表示装置で具現できる。以下の説明では平板表示装置の一例として液晶表示装置を中心に説明するが、本発明はこれに限定されるものではない。例えば、本発明のタッチセンサー内蔵型表示装置はインセルタッチセンサー技術が適用可能な如何なる表示装置も可能である。
【００３７】
まず、図４及び図５を参照して本発明の実施形態に係るタッチセンサー内蔵型表示装置について具体的に説明する。
【００３８】
図４は本発明の実施形態に係るタッチセンサー内蔵型表示装置を概略的に示すブロック図であり、図５は本発明の実施形態に係るタッチセンサー内蔵型表示装置の一部領域を概略的に示す一部分解斜視図である。
【００３９】
本発明の実施形態に係るタッチセンサー内蔵型表示装置は、表示パネル１００、データ駆動回路２０２、スキャン駆動回路２０４、タイミングコントローラ１０４、タッチコントローラ３０４などを含む。
【００４０】
表示パネル１００は、２枚のガラス基板の間に配置される液晶層を含む。表示パネル１００の下部基板には複数のデータラインＤ１〜Ｄｍ（ｍは、正の整数）、データラインＤ１〜Ｄｍと交差する複数のゲートラインＧ１〜Ｇｎ（ｎは、正の整数）、データラインＤ１〜ＤｍとゲートラインＧ１〜Ｇｎとの交差部に形成される複数の薄膜トランジスタＴＦＴ、液晶セルＣｌｃにデータ電圧を充電させるための多数のピクセル電極Ｐ、ピクセル電極Ｐに接続されて液晶セルの電圧を維持させるためのストレージキャパシタＣｓＴ、及びタッチ／共通電極Ｔを含んだピクセルアレイが形成される。
【００４１】
表示パネル１００のピクセルはデータラインＤ１〜ＤｍとゲートラインＧ１〜Ｇｎにより定義されたピクセル領域に形成されてマトリックス形態に配置される。ピクセルの各々の液晶セルはピクセル電極Ｐに印加されるデータ電圧とタッチ／共通電極Ｔに印加される共通電圧（Ｖｃｏｍ）との電圧差によって印加される電界により駆動されて入射光の透過量を調節する。薄膜トランジスタＴＦＴは、ゲートラインＧ１〜Ｇｎからのゲートパルスに応答してターン−オンされてデータラインＤ１〜Ｄｍからの電圧を液晶セルのピクセル電極Ｐに供給する。
【００４２】
表示パネル１００の上部ガラス基板ＳＵＢ２にはブラックマトリックスＢＭ、カラーフィルタＲ、Ｇ、Ｂ、及びこれらをカバーするオーバーコート層ＯＣなどを含むことができる。一方、表示パネル１００の下部ガラス基板ＳＵＢ１はＣＯＴ（Color filter On TFT）構造で具現できる。この場合、ブラックマトリックス及びカラーフィルタは表示パネル１００の下部ガラス基板に形成できる。
【００４３】
タッチ／共通電極Ｔは、ＴＮ（Twisted Nematic）モードとＶＡ（Vertical Alignment）モードのような垂直電界駆動方式で上部ガラス基板に形成され、ＩＰＳ（In Plane Switching）モードとＦＦＳ（Fringe Field Switching）モードのような水平電界駆動方式でピクセル電極Ｐと共に下部ガラス基板上に形成される。タッチ／共通電極Ｔはタッチ／共通ラインＷ１１〜Ｗ８ａを通じて共通電圧（Ｖｃｏｍ）の供給を受けることができる。
【００４４】
表示パネル１００の上部ガラス基板ＳＵＢ２と下部ガラス基板ＳＵＢ１の各々には偏光板が付着され、液晶と接する内面に液晶のプレチルト角を設定するための配向膜が形成される。表示パネル１００の上部ガラス基板ＳＵＢ２と下部ガラス基板ＳＵＢ１との間には液晶セルのセルギャップ（cell gap）を維持するためのコラムスペーサが形成できる。
【００４５】
データ駆動回路２０２は、多数のソースドライブＩＣ（Integrated Circuit）を含む。ソースドライブＩＣは予め設定されたディスプレイ期間の間アナログビデオデータ電圧を出力する。ソースドライブＩＣはタイミングコントローラ１０４から入力されるディジタルビデオデータ（ＲＧＢ）をラッチする。そして、ソースドライブＩＣはディジタルビデオデータ（ＲＧＢ）をアナログ正極性／負極性ガンマ補償電圧に変換してアナログビデオデータ電圧を出力する。アナログビデオデータ電圧はデータラインＤ１〜Ｄｍに供給される。
【００４６】
スキャン駆動回路２０４は、１つ以上のスキャンドライブＩＣを含む。スキャンドライブＩＣは、ディスプレイ期間の間タイミングコントローラ１０４の制御下にアナログビデオデータ電圧に同期されるスキャンパルス（または、ゲートパルス）をゲートラインＧ１〜Ｇｎに順次供給してアナログビデオデータ電圧が書き込まれる表示パネルのラインを選択する。スキャンパルスは、ゲートハイ電圧とゲートロー電圧との間でスイングするパルスに発生する。スキャン駆動回路２０４は、タッチセンサー駆動期間の間スキャンパルスを発生せず、ゲートロー電圧をゲートラインＧ１〜Ｇｎに持続的に供給する。したがって、ゲートラインＧ１〜Ｇｎはディスプレイ期間の間ゲートパルスをピクセルの薄膜トランジスタＴＦＴに供給して表示パネル１００でデータが書き込まれるラインを順次選択し、タッチセンサー駆動期間の間ゲートロー電圧を維持する。
【００４７】
タイミングコントローラ１０４は、外部のホストシステムから入力される垂直同期信号（Ｖｓｙｎｃ）、水平同期信号（Ｈｓｙｎｃ）、データイネーブル信号（Data Enable：ＤＥ）、メインクロック（ＭＣＬＫ）などのタイミング信号の入力を受けてデータ駆動回路２０２とスキャン駆動回路２０４の動作タイミングを制御するためのタイミング制御信号と、スイッチングブロック（ＳＢ）を制御するためのタッチ／ディスプレイ制御信号（Ｃｔｄ）を発生する。スキャン駆動回路２０４のタイミング制御信号は、ゲートスタートパルス（Gate Start Pulse：ＧＳＰ）、ゲートシフトクロック（Gate Shift Clock：ＧＳＣ）、ゲート出力イネーブル信号（Gate Output Enable：ＧＯＥ）、シフト方向制御信号（ＤＩＲ）などを含む。データ駆動回路２０２のタイミング制御信号は、ソースサンプリングクロック（Source Sampling Clock：ＳＳＣ）、極性制御信号（Polarity：ＰＯＬ）、及びソース出力イネーブル信号（Source Output Enable：ＳＯＥ）などを含む。
【００４８】
タイミングコントローラ１０４は、タイミング制御信号を制御して１フレーム期間を少なくとも１つのディスプレイ期間と少なくとも１つのタッチ駆動期間とに時分割する。タイミングコントローラ１０４は、ディスプレイ期間の間データ駆動回路２０２とスキャン駆動回路２０４の出力をイネーブルさせてビデオデータをピクセルに表示する。タイミングコントローラ１０４は、タッチ駆動期間の間、タッチコントローラＴＣを駆動してタッチスクリーンのタッチ位置を検出する。ディスプレイ期間とタッチ駆動期間は表示パネル１００の種類によってパネル特性を考慮して適切に調節できる。
【００４９】
タッチコントローラ３０４はタッチ／共通ラインＷ１１〜Ｗ８ａを通じてセンシングされたセンシング信号をタッチ認識アルゴリズムで分析して座標値を算出する。タッチコントローラＴＣから出力されたタッチ位置の座標値データは、外部のホストシステム（図示せず）に転送する。ホストシステムは、タッチ位置の座標値が指示する応用プログラムを実行する。
【００５０】
次に、図６から図９を参照して本発明の第１実施形態に係るタッチセンサー内蔵型表示装置の構成をより詳細に説明する。
【００５１】
図６は本発明の第１実施形態に係るタッチセンサー内蔵型表示装置のタッチ／共通電極とタッチ／共通ラインを示す平面図であり、図７は図６に図示された一部領域Ｒ１を示す平面図である。図８ａから図８ｃは、図６に図示されたタッチ／共通電極の構成を示す平面図である。図９は、図６のゲートラインに供給されるゲート信号を示す波形図である。
【００５２】
図６を参照すると、本発明の第１実施形態に係るタッチセンサー内蔵型表示装置の表示パネルは、タッチ／共通電極Ｔ１１〜Ｔ８ａ及び画素電極（図示せず）が配置され、データが表示されるアクティブ領域ＡＡ、アクティブ領域ＡＡの外側に配置され、各種の配線及びタッチコントローラ３０４が配置されるベッセル領域ＢＡを含む。
【００５３】
アクティブ領域ＡＡは互いに交差する第１方向（例えば、ｘ軸方向）及び第２方向（例えば、ｙ軸方向）に配置された複数のタッチ／共通電極Ｔ１１〜Ｔ８ａと、複数のタッチ／共通電極Ｔ１１〜Ｔ８ａの各々をタッチコントローラ３０４に連結させるように第２方向に互いに並んで配列される複数のタッチ／共通ラインＷ１１〜Ｗ８ａを含む。
【００５４】
アクティブ領域ＡＡ内に配置された複数のタッチ／共通電極Ｔ１１〜Ｔ８ａは、表示装置の共通電極を分割して形成されたものであって、データを表示するディスプレイモードの駆動時には共通電極として動作し、タッチ位置を認識するタッチ駆動時にはタッチ電極として動作する。
【００５５】
即ち、本発明の第１実施形態に係るタッチセンサー内蔵型表示装置は、１フレーム期間をディスプレイ駆動期間とタッチセンサー駆動期間とに時分割して駆動される。タッチ／共通電極Ｔ１１〜Ｔ８ａは、ディスプレイ駆動期間にはタッチ／共通ラインＷ１１〜Ｗ８ａを通じて共通電圧の供給を受けて、タッチ駆動期間にはタッチ駆動電圧の供給を受ける。タッチ／共通ラインＷ１１〜Ｗ８ａは、タッチ駆動期間の間、タッチ／共通電極Ｔ１１〜Ｔ８ａでセンシングされたタッチセンシング電圧をタッチコントローラ３０４に供給する。タッチコントローラ３０４は、公知のタッチアルゴリズムを用いてタッチ有無及びタッチ位置を判断する。
【００５６】
本発明の第１実施形態に係るタッチセンサー内蔵型表示装置において、タッチ／共通電極Ｔ１１〜Ｔ８ａの各々は、図７に示すように、データラインＤ１，Ｄ２，・・・，の配列方向に沿って突出した突出部を備える。
【００５７】
例えば、第１行に配置されたタッチ／共通電極Ｔ１１〜Ｔ１ａは、それに隣接した第２行に配置されたタッチ／共通電極Ｔ２１〜Ｔ２ａに向かって第１辺に配置された突出部を備える。第２行に配置されたタッチ／共通電極Ｔ２１〜Ｔ２ａは、その下側に隣接した第３行に配置されたタッチ／共通電極Ｔ３１〜Ｔ３ａに向いた第１辺に配置された突出部と、その上側に配置された第１行に配置されたタッチ／共通電極Ｔ１１〜Ｔ１ａに向いた第２辺に配置された突出部を含む。このような方式により第２行から最後の行の間に配置されたタッチ／共通電極Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａは、第１辺と第２辺に各々配置される突出部を有するようになる。また、最後の行に配置されたタッチ／共通電極Ｔ８１〜Ｔ８ａはその上側に隣接配置された第７行のタッチ／共通電極Ｔ７１〜Ｔ７ａに向いた第２辺に配置された突出部を含む。
【００５８】
また、第１行のタッチ／共通電極Ｔ１１〜Ｔ１ａの第１辺に配置された突出部は、第２行のタッチ／共通電極Ｔ２１〜Ｔ２ａの第２辺に配置された突出部とゲートラインＧ１１〜Ｇｎｃの配列方向に沿って交互に配置される。第２行のタッチ／共通電極Ｔ２１〜Ｔ２ａの第２辺に配置された突出部は、第３行のタッチ／共通電極Ｔ３１〜Ｔ３ａの第１辺に配置された突出部とゲートラインＧ１１〜Ｇｎｃの配列方向に沿って交互に配置される。このような方式により、第１行から最後の行の互いに隣り合うタッチ／共通電極の突出部はゲートラインの方向に沿って交互に配置される。
【００５９】
また、本発明の第１実施形態に係るタッチセンサー内蔵型表示装置のタッチ／共通電極Ｔ１１〜Ｔ８ａは、それらの配置位置によって相異する形状を有する。
【００６０】
以下、図８ａから図８ｃを参照してタッチ／共通電極の形状に対して具体的に説明する。
【００６１】
図８ａは、図６に図示されたアクティブ領域ＡＡの最初の行、即ち第１行に配置されたタッチ／共通電極Ｔ１１〜Ｔ１ａの形状を示す平面図である。図８ｂは、図６に図示されたアクティブ領域ＡＡの最初の行（第１行）と最後の行（第８行）との間に配置されたタッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの形状を示す平面図である。図８ｃは、図６に図示されたアクティブ領域ＡＡの最後の行（第８行）に配置されたタッチ／共通電極Ｔ８１〜Ｔ８ａの形状を示す平面図である。
【００６２】
図８ａを参照すると、第１行に配置されたタッチ／共通電極Ｔ１１〜Ｔ１ａの各々は筋部Ｔａと、筋部Ｔａの第１辺から延びる第１突出部Ｔｂ１を含む。筋部Ｔａの第１辺は第２行に配置されたタッチ／共通電極Ｔ２１〜Ｔ２ａに隣接した辺である。
【００６３】
図８ｂを参照すると、第１行と最後の行との間に配置されたタッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの各々は互いに対向する両辺に各々配置される第１突出部及び第２突出部を含む。即ち、タッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの各々は、筋部Ｔａと、筋部Ｔａの第１辺から延びる第１突出部Ｔｂ１と、筋部Ｔａの第１辺と反対側に位置した第２辺から延びる第２突出部Ｔｂ２を含む。タッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの各々の筋部Ｔａの第１辺は、図６に図示された下側行に配置されたタッチ／共通電極に隣接した辺であり、第２辺は上側行に配置されたタッチ／共通電極に隣接した辺である。
【００６４】
図８ｃを参照すると、最後の行に配置されたタッチ／共通電極Ｔ８１〜Ｔ８ａの各々は、筋部Ｔａと、筋部Ｔａの第２辺から延びる第２突出部Ｔｂ２を含む。タッチ／共通電極Ｔ８１〜Ｔ８ａの各々の第２辺は、上側に配置されたタッチ／共通電極Ｔ７１〜Ｔ７ａに隣接した辺である。
【００６５】
図８ａから図８ｃのタッチ／共通電極において、第１行に配置されるタッチ／共通電極Ｔ１１〜Ｔ１ａと最後の行に配置されるタッチ／共通電極Ｔ８１〜Ｔ８ａのサイズは同一である。また、第１行と最後の行との間に配置されるタッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａのサイズは、前記第１行及び前記最後の行に配置されるタッチ／共通電極Ｔ１１〜Ｔ１ａ、Ｔ８１〜Ｔ８ａのサイズより第１辺に形成される第１突出部Ｔｂ１のサイズだけより大きい。
【００６６】
また、図６から図８ｃを参照してタッチ／共通電極Ｔ１１〜Ｔ８ａとゲートラインＧ１１〜Ｇ２ｃの配列関係について説明する。
【００６７】
図７から図８ｃを参照すると、第１行に配置されるタッチ／共通電極Ｔ１１、Ｔ１２の第１突出部Ｔｂ１（図８ａ参照）は、ゲートラインＧ１ａ〜Ｇ２３の配列方向に沿って第２行に配置されるタッチ／共通電極Ｔ２１、Ｔ２２の第２突出部Ｔｂ２と交互に配置される。また、第２行に配置されるタッチ／共通電極Ｔ２１、Ｔ２２の第１突出部Ｔｂ１（図８ｂ参照）はゲートラインＧ２ａ〜Ｇ３３の配列方向に沿って第３行に配置されるタッチ／共通電極Ｔ３１、Ｔ３２の第２突出部Ｔｂ２と交互に配置される。このような方式により第２行と最後の行との間に配置されたタッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの第１突出部Ｔｂ１は、後端のタッチ／共通電極に対応するゲートラインと重畳し、第２突出部Ｔｂ２は前段のタッチ／共通電極に対応するゲートラインと重畳する。また、最後の行に配置されたタッチ／共通電極の第２突出部Ｔｂ２は、前段のタッチ／共通電極である第７行に配置されたタッチ／共通電極Ｔ７１〜Ｔ７ａに対応するゲートラインＧ７ａ〜Ｇ７ｃと重畳する。
【００６８】
前述したように、データラインの配列方向に互いに隣り合う１タッチ／共通電極Ｔ１１〜Ｔ８ａの第１突出部Ｔｂ１と後端のタッチ／共通電極の第２突出部Ｔｂ２は、隣り合うタッチ／共通電極に対応して各々配置されたゲートラインの一部を共有する。これと類似するように、隣り合うタッチ／共通電極Ｔ１１〜Ｔ８ａの第２突出部Ｔｂ２と前段のタッチ／共通電極の第１突出部Ｔｂ１は、隣り合うタッチ／共通電極に対応して各々配置されたゲートラインの一部を共有する。即ち、第１突出部Ｔｂ１と第２突出部Ｔｂ２は互いに異なるタッチ／共通電極に含まれ、ゲートラインの配列方向に沿って交互に配置されるので、互いに異なるタッチ／共通電極に対応するゲートラインの一部を共有する。
【００６９】
本発明において、第１突出部Ｔｂ１と第２突出部Ｔｂ２が共有するゲートラインの数は、ゲートラインに順次供給されるゲートパルスの重畳度によって変わる。
【００７０】
本発明の第１実施形態に係るタッチセンサー内蔵型表示装置において、データラインの配列方向に沿って隣り合うタッチ／共通電極に共有されるゲートラインの数（即ち、第１突出部Ｔｂ１と第２突出部Ｔｂ２が共有するゲートラインの数）が６の場合を例に挙げており、図７及び図９を参照してより具体的に説明する。
【００７１】
図９を参照すると、本発明の第１実施形態に係るタッチセンサー内蔵型表示装置の第１タッチ／共通電極Ｔ１１〜Ｔ１ａに対応するゲートラインＧ１１〜Ｇ１ｃに順次ライジングエッジとフォーリングエッジを含むゲートパルスが供給される。図９の例で、１つのゲートパルスと一部分が重畳するゲートパルスの数は３個である。
【００７２】
図７及び図９を参照すると、最初の行に配置されるタッチ／共通電極Ｔ１１〜Ｔ１ａに対応する第１−１から第１−１２ゲートラインＧ１１〜Ｇ１ｃと、２番目の行に配置されるタッチ／共通電極Ｔ２１〜Ｔ２ａに対応するゲートラインＧ２１〜Ｇ２ｃに順次ゲート信号が供給されれば、各ゲートラインに供給されるゲート信号のオン／オフによりタッチ／共通電極Ｔ１１〜Ｔ１ａ、Ｔ２１〜Ｔ２ａにカップリングが発生して各ゲート信号の開始部（rising edge）と終了部（falling edge）でリップル電圧（ripple voltage）が発生する。
【００７３】
これらリップル電圧は各ゲートラインにゲート信号が供給される時に発生するが、次回のゲート信号により相殺される特徴を有する。例えば、第１−６ゲートラインＧ１６に供給されるゲート信号のフォーリングエッジ（falling edge）によるタッチ／共通電極Ｔ１１〜Ｔ１ａのリップル電圧は、第１−９ゲートラインＧ１９に供給されるゲート信号のライジングエッジ（rising edge）によるタッチ／共通電極Ｔ１１〜Ｔ１ａのリップル電圧により相殺され、第１−７ゲートラインＧ１７によるタッチ／共通電極Ｔ１１〜Ｔ１ａのリップル電圧は、第１−１０ゲートラインＧ１ａによるタッチ／共通電極Ｔ１１〜Ｔ１ａのリップル電圧により相殺され、第１−８ゲートラインＧ１８によるタッチ／共通電極Ｔ１１〜Ｔ１ａのリップル電圧は第１−１１ゲートラインＧ１ｂによるタッチ／共通電極Ｔ１１〜Ｔ１ａのリップル電圧により相殺され、第１−９ゲートラインＧ１９によるタッチ／共通電極Ｔ１１〜Ｔ１ａのリップル電圧は、第１−１２ゲートラインＧ１ｃによるタッチ／共通電極Ｔ１１〜Ｔ１ａのリップル電圧により相殺される。
【００７４】
また、第１−１０（Ｇ１ａ）に供給されるゲート信号のフォーリングエッジによるタッチ／共通電極Ｔ１1〜Ｔ１ａのリップル電圧は、第２−１ゲートラインＧ２１に供給されるライジングエッジによるタッチ／共通電極Ｔ１1〜Ｔ１ａの第１突出部Ｔｂ１のリップル電圧により相殺され、第１−１１（Ｇ１ｂ）に供給されるゲート信号のフォーリングエッジによるタッチ／共通電極Ｔ１1〜Ｔ１ａのリップル電圧は、第２−２ゲートラインＧ２２に供給されるライジングエッジによるタッチ／共通電極Ｔ１1〜Ｔ１ａの第１突出部Ｔｂ１のリップル電圧により相殺され、第１−１２（Ｇ１ｃ）に供給されるゲート信号のフォーリングエッジによるタッチ／共通電極Ｔ１1〜Ｔ１ａのリップル電圧は、第２−３ゲートラインＧ２３に供給されるライジングエッジによるタッチ／共通電極Ｔ１1〜Ｔ１ａの第１突出部Ｔｂ１のリップル電圧により相殺される。
【００７５】
このように、本発明の第１実施形態に係るタッチセンサー内蔵型表示装置の全てのタッチ／共通電極に発生するリップル電圧は、ゲートラインに供給されるゲートパルスにより相殺させることができる。したがって、タッチ／共通電極の内部と境界部のリップル電圧のレベル差によって共通電圧のレベルが不安定になるにつれて発生する明るい横線形態の画像不良を防止することができる効果が得られる。
【００７６】
次に、図１０から図１３を参照して本発明の第２実施形態に係るタッチセンサー内蔵型表示装置の構成をより詳細に説明する。
【００７７】
図１０は本発明の第２実施形態に係るタッチセンサー内蔵型表示装置のタッチ／共通電極を示す平面図であり、図１１は図１０に図示された一部領域Ｒ２を示す平面図である。図１２ａから図１２ｃは、図１０に図示されたタッチ／共通電極の構成を示す平面図である。図１３は、図１１のゲートラインに供給されるゲート信号を示す波形図である。
本発明の第２実施形態に係るタッチセンサー内蔵型表示装置は、タッチ／共通電極の形状が異なる点を除いては、本発明の第１実施形態に係るタッチセンサー内蔵型表示装置と実質的に同一である。したがって、説明を簡略にするために本発明の第１実施形態と異なる点に対してのみ説明する。
【００７８】
本発明の第２実施形態に係るタッチセンサー内蔵型表示装置において、タッチ／共通電極Ｔ１１〜Ｔ８ａの各々は、図１０に示すように、隣接したタッチ／共通電極に向かって突出した突出部と、これら突出部により形成される凹部を備える。
【００７９】
例えば、第１行に配置されたタッチ／共通電極Ｔ１１〜Ｔ１ａは、それに隣接した第２行に配置されたタッチ／共通電極Ｔ２１〜Ｔ２ａに向かって第１辺に配置された突出部と、これら突出部により形成される凹部を備える。第２行に配置されたタッチ／共通電極Ｔ２１〜Ｔ２ａは、その下側に隣接した第３行に配置されたタッチ／共通電極Ｔ３１〜Ｔ３ａに向いた第１辺に配置された突出部と、これら突出部により形成される凹部と、その上側に配置された第１行に配置されたタッチ／共通電極Ｔ１１〜Ｔ１ａに向いた第２辺に配置された突出部と、これら突出部により形成される凹部を含む。このような方式により第２行から最後の行の間に配置されたタッチ／共通電極Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａは、第１辺と第２辺に各々配置される突出部と、これら突出部により形成される凹部を有するようになる。また、最後の行に配置されたタッチ／共通電極Ｔ８１〜Ｔ８ａは、その上側に隣接配置された第７行のタッチ／共通電極Ｔ７１〜Ｔ７ａに向いた第２辺に配置された突出部と、これら突出部により形成される凹部を含む。
【００８０】
また、第１行のタッチ／共通電極Ｔ１１〜Ｔ１ａの第１辺に配置された突出部は、第２行のタッチ／共通電極Ｔ２１〜Ｔ２ａの第２辺に配置された凹部の内に各々配置され、第１行のタッチ／共通電極Ｔ１１〜Ｔ１ａの第１辺に配置された凹部には第２行のタッチ／共通電極Ｔ２１〜Ｔ２ａの第２辺に配置された凸部が各々配置される。これによって、第１行のタッチ／共通電極Ｔ１１〜Ｔ１ａの第１辺に配置された突出部は、第２行のタッチ／共通電極Ｔ２１〜Ｔ２ａの第２辺に配置された突出部とゲートラインの配列方向に沿って交互に配置される。
【００８１】
第２行のタッチ／共通電極Ｔ２１〜Ｔ２ａの第１辺に配置された突出部は、第３行のタッチ／共通電極Ｔ３１〜Ｔ３ａの第２辺に配置された凹部の内に各々配置され、第２行のタッチ／共通電極Ｔ２１〜Ｔ２ａの第１辺に配置された凹部には第３行のタッチ／共通電極Ｔ３１〜Ｔ３ａの第２辺に配置された突出部が配置される。これによって、第２行のタッチ／共通電極Ｔ２１〜Ｔ２ａの第１辺に配置された突出部は第３行のタッチ／共通電極Ｔ３１〜Ｔ３ａの第２辺に配置された突出部とゲートラインの配列方向に沿って交互に配置される。
【００８２】
このような方式で、第１行から最後の行の互いに隣り合うタッチ／共通電極の突出部はゲートラインの方向に沿って交互に配置される。
【００８３】
また、本発明の第２実施形態に係るタッチセンサー内蔵型表示装置のタッチ／共通電極Ｔ１１〜Ｔ８ａは、それらの配置位置によって相異する形状を有する。
【００８４】
以下、図１２ａから図１２ｃを参照してタッチ／共通電極の形状について具体的に説明する。
【００８５】
図１２ａは図１０に図示されたアクティブ領域ＡＡの最初の行、即ち第１行に配置されたタッチ／共通電極Ｔ１１〜Ｔ１ａの形状を示す平面図である。図１２ｂは図１０に図示されたアクティブ領域ＡＡの最初の行（第１行）と最後の行（第８行）との間に配置されたタッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの形状を示す平面図である。図１２ｃは、図１０に図示されたアクティブ領域ＡＡの最後の行（第８行）に配置されたタッチ／共通電極Ｔ８１〜Ｔ８ａの形状を示す平面図である。
【００８６】
図１２ａを参照すると、第１行に配置されたタッチ／共通電極Ｔ１１〜Ｔ１ａの各々は、筋部Ｔａと、筋部Ｔａの第１辺から延びる第１突出部Ｔｂ１と、第１突出部の間に配置される第１凹部Ｔｃ１を含む。筋部Ｔａの第１辺は第２行に配置されたタッチ／共通電極Ｔ２１〜Ｔ２ａに隣接した辺である。
【００８７】
図１２ｂを参照すると、第１行と最後の行との間に配置されたタッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの各々は、互いに対向する両辺に各々配置される第１突出部Ｔｂ１及び第２突出部Ｔｂ２と、第１突出部の間に配置される第１凹部Ｔｃ１と、第２突出部ＴＢ２の間に配置される第２凹部Ｔｃ２を含む。即ち、タッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの各々は、筋部Ｔａと、筋部Ｔａの第１辺から延びる第１突出部Ｔｂ１と、第１突出部Ｔｂ１の間に配置される第１凹部Ｔｃ１と、筋部Ｔａの第１辺と反対側に位置した第２辺から延びる第２突出部Ｔｂ２と、第２突出部Ｔｂ２の間に配置される第２凹部Ｔｃ２を含む。タッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａの各々の筋部Ｔａの第１辺は、図１０に図示された下側行に配置されたタッチ／共通電極に隣接した辺であり、第２辺は上側行に配置されたタッチ／共通電極に隣接した辺である。
【００８８】
図１２ｃを参照すると、最後の行に配置されたタッチ／共通電極Ｔ８１〜Ｔ８ａの各々は、筋部Ｔａと、筋部Ｔａの第２辺から延びる第２突出部Ｔｂ２と、第２突出部Ｔｂ２の間に配置される第２凹部Ｔｃ２を含む。タッチ／共通電極Ｔ８１〜Ｔ８ａの各々の第２辺は上側行に配置されたタッチ／共通電極Ｔ７１〜Ｔ７ａに隣接した辺である。
【００８９】
図１２ａから図１２ｃのタッチ／共通電極で、第１行に配置されるタッチ／共通電極Ｔ１１〜Ｔ１ａと最後の行に配置されるタッチ／共通電極Ｔ８１〜Ｔ８ａのサイズは同一である。また、第１行と最後の行との間に配置されるタッチ／共通電極Ｔ２１〜Ｔ２ａ、Ｔ３１〜Ｔ３ａ、Ｔ４１〜Ｔ４ａ、Ｔ５１〜Ｔ５ａ、Ｔ６１〜Ｔ６ａ、Ｔ７１〜Ｔ７ａのサイズは、前記第１行及び前記最後の行に配置されるタッチ／共通電極Ｔ１１〜Ｔ１ａ、Ｔ８１〜Ｔ８ａのサイズより第１辺に形成される第１突出部Ｔｂ１のサイズだけより大きい。
【００９０】
図１０から図１２ｃを参照すると、タッチ／共通電極Ｔ１１〜Ｔ８ａとゲートラインＧ１１〜Ｇ２ｃとの配列関係は、タッチ／共通電極の形状を除いては、図６から図８ｃのタッチ／共通電極Ｔ１１〜Ｔ８ａとゲートラインＧ１１〜Ｇ２ｃとの配列関係と実質的に同一である。したがって、重複説明を避けるために第２実施形態に係るタッチセンサー内蔵型表示装置のタッチ／共通電極Ｔ１１〜Ｔ８ａとゲートラインＧ１１〜Ｇ２ｃとの配列関係に対する説明は省略する。
【００９１】
図１３を参照すると、本発明の第２実施形態に係るタッチセンサー内蔵型表示装置の第１タッチ／共通電極Ｔ１１〜Ｔ１ａに対応するゲートラインＧ１１〜Ｇ１ｃに順次ライジングエッジとフォーリングエッジを含むゲートパルスが供給される。図１３の例で、１つのゲートパルスと一部分が重畳するゲートパルスの数は３個である。
【００９２】
図１１及び図１３を参照すると、最初の行に配置されるタッチ／共通電極Ｔ１１〜Ｔ１ａに対応する第１−１から第１−１２ゲートラインＧ１１〜Ｇ１ｃと２番目の行に配置されるタッチ／共通電極Ｔ２１〜Ｔ２ａに対応するゲートラインＧ２１〜Ｇ２ｃに順次ゲート信号が供給されれば、各ゲートラインに供給されるゲート信号のオン／オフによりタッチ／共通電極Ｔ１１〜Ｔ１ａ、Ｔ２１〜Ｔ２ａにカップリングが発生して各ゲート信号の開始部（rising edge）と終了部（falling edge）でリップル電圧（ripple voltage）が発生する。
【００９３】
これらリップル電圧は各ゲートラインにゲート信号が供給される時に発生するが、次回のゲート信号により相殺される特徴を有する。例えば、第１−６ゲートラインＧ１６に供給されるゲート信号のフォーリングエッジ（falling edge）によるタッチ／共通電極Ｔ１１〜Ｔ１ａのリップル電圧は第１−９ゲートラインＧ１９に供給されるゲート信号のライジングエッジ（rising edge）によるタッチ／共通電極Ｔ１１〜Ｔ１ａのリップル電圧により相殺され、第１−７ゲートラインＧ１７によるタッチ／共通電極Ｔ１１〜Ｔ１ａのリップル電圧は第１−１０ゲートラインＧ１ａによるタッチ／共通電極Ｔ１１〜Ｔ１ａのリップル電圧により相殺され、第１−８ゲートラインＧ１８によるタッチ／共通電極Ｔ１１〜Ｔ１ａのリップル電圧は第１−１１ゲートラインＧ１ｂによるタッチ／共通電極Ｔ１１〜Ｔ１ａのリップル電圧により相殺され、第１−９ゲートラインＧ１９によるタッチ／共通電極Ｔ１１〜Ｔ１ａのリップル電圧は第１−１２ゲートラインＧ１ｃによるタッチ／共通電極Ｔ１１〜Ｔ１ａのリップル電圧により相殺される。
【００９４】
また、第１−１０（Ｇ１ａ）に供給されるゲート信号のフォーリングエッジによるタッチ／共通電極Ｔ１1〜Ｔ１ａのリップル電圧は第２−１ゲートラインＧ２１に供給されるライジングエッジによるタッチ／共通電極Ｔ１1〜Ｔ１ａの第１突出部Ｔｂ１のリップル電圧により相殺され、第１−１１（Ｇ１ｂ）に供給されるゲート信号のフォーリングエッジによるタッチ／共通電極Ｔ１1〜Ｔ１ａのリップル電圧は第２−２ゲートラインＧ２２に供給されるライジングエッジによるタッチ／共通電極Ｔ１1〜Ｔ１ａの第１突出部Ｔｂ１のリップル電圧により相殺され、第１−１２（Ｇ１ｃ）に供給されるゲート信号のフォーリングエッジによるタッチ／共通電極Ｔ１1〜Ｔ１ａのリップル電圧は第２−３ゲートラインＧ２３に供給されるライジングエッジによるタッチ／共通電極Ｔ１1〜Ｔ１ａの第１突出部Ｔｂ１のリップル電圧により相殺される。
【００９５】
このように、本発明の第２実施形態に係るタッチセンサー内蔵型表示装置の全てのタッチ／共通電極に発生するリップル電圧は、ゲートラインに供給されるゲートパルスにより相殺させることができる。したがって、タッチ／共通電極の内部と境界部のリップル電圧のレベル差によって共通電圧のレベルが不安定になるにつれて発生する明るい横線形態の画像不良を防止することができる効果が得られる。
【００９６】
前述した本発明の第１及び第２実施形態に係るタッチセンサー内蔵型表示装置において、１つのゲートパルスと少なくとも一部分が重畳するゲートパルスの数が３個の場合を例として説明したが、本発明はこれに限定されるものではない。ゲートラインに順次供給されるゲートパルスのうちの１つと重畳するゲートパルスの数は１、２、または３以上に設定されることもできる。ゲートパルスの重畳は先のゲートパルスのフォーリングエッジと後続のゲートパルスのライジングエッジとが一致する場合を含む。
【００９７】
したがって、データラインの配列方向に沿って互いに隣り合うタッチ／共通電極（即ち、第１突出部Ｔｂ１と第２突出部Ｔｂ２）に共有されるゲートラインの数はゲートラインに供給されるゲートパルスのうち、いずれか１つのゲートパルスと一部分が重畳するゲートパルスの数の２倍となる。
【００９８】
次に、図１４ａ及び図１４ｂを参照して、従来のタッチセンサー内蔵型表示装置と本発明の実施形態に係るタッチセンサー内蔵型表示装置により得られる共通電圧について説明する。
【００９９】
図１４ａは従来のタッチセンサー内蔵型表示装置の共通電圧の出力を示す波形図であり、図１４ｂは本発明の実施形態に係るタッチセンサー内蔵型表示装置の共通電圧の出力を示す波形図である。
【０１００】
図１４ａ及び図１４ｂを参照すると、従来のタッチセンサー内蔵型表示装置ではタッチ／共通電極にリップル電圧の偏差が発生するが、本発明の実施形態に係るタッチセンサー内蔵型表示装置ではタッチ／共通電極にリップル電圧の偏差が発生しない。
【０１０１】
したがって、本発明の実施形態に係るタッチセンサー内蔵型表示装置によれば、リップル電圧のレベル差によって共通電圧のレベルが不安定になるにつれて発生できる明るい横線形態の画像不良を防止することができる効果が得られる。
【０１０２】
以上、説明した内容を通じて当業者であれば、本発明の技術思想を逸脱しない範囲で多様な変更及び修正が可能であることが分かる。
【０１０３】
例えば、本発明の実施形態に係るタッチセンサー内蔵型表示装置におけるタッチ／共通電極の数、タッチ／共通ラインの数、ゲートラインの数、及びデータラインの数は単に例示のためのものであり、本発明はこれに限定されるものではない。
【０１０４】
また、本発明の実施形態に係るタッチセンサー内蔵型表示装置におけるタッチ／共通電極の突出部及び凹部の形状は角形からなるものを例として説明しているが、これは単に例示のためのものであり、本発明はこれに限定されるものではない。例えば、突出部及び凹部の形状は円形、楕円形などの任意の形状を有するように形成されることもできる。
【０１０５】
したがって、本発明の技数的範囲は明細書の詳細な説明に記載された内容に限定されるものでなく、特許請求範囲により定まるべきである。
【０１０６】
本特許出願は、２０１５年１２月３０日付けで韓国に出願した特許出願番号第１０−２０１５−０１９０２４０号に対して優先権を主張し、その全ての内容は参考文献として本特許出願に併合される。
【図１】
0006381148.tif 000002
【図２】
0006381148.tif 000003
【図３】
0006381148.tif 000004
【図４】
0006381148.tif 000005
【図５】
0006381148.tif 000006
【図６】
0006381148.tif 000007
【図７】
0006381148.tif 000008
【図８ａ】
0006381148.tif 000009
【図８ｂ】
0006381148.tif 000010
【図８ｃ】
0006381148.tif 000011
【図９】
0006381148.tif 000012
【図１０】
0006381148.tif 000013
【図１１】
0006381148.tif 000014
【図１２ａ】
0006381148.tif 000015
【図１２ｂ】
0006381148.tif 000016
【図１２ｃ】
0006381148.tif 000017
【図１３】
0006381148.tif 000018
【図１４ａ】
0006381148.tif 000019
【図１４ｂ】
0006381148.tif 000020